(57)【要約】【目的】  賞球補給装置のスライド位置に関わらず賞球補給装置へのパチンコ玉の供給がスムーズに行え、然も、賞球補給装置のスライド調整に弊害が生じるような不具合を回避することができる遊技島を提供する。【解決手段】  分岐装置３によって分岐された玉を賞球補給装置２０に誘導すると共に誘導通路の全長方向に沿って伸縮自在に設けられたスプリングホース７と、該スプリングホース７の通路途中に設けられると共に分岐装置３側から賞球補給装置２０側に向かって通路形状が湾曲して形成され、且つ分岐装置３に対する配置関係を変えることがないように賞球補給装置２０の側方の横枠５９の一定の位置に固定されるホース内嵌パイプ８０とを備える。これにより、賞球補給装置２０のスライド位置に関わらず賞球補給装置２０へのパチンコ玉の供給がスムーズに行える。【選択図】        図１７
2010259683.tif 000002
【特許請求の範囲】
【請求項１】
複数の遊技機を列設すると共に、該複数の遊技機に玉を補給する補給樋が設けられた遊技島であって、前記補給樋から供給される玉を前記複数の遊技機毎に分岐する分岐装置と、前記複数の遊技機毎に対応して前記遊技島を構成する横枠に取り付けられると共に前記補給樋から供給される玉を前記遊技機の裏面に設置された賞球タンクに補給する賞球補給装置と、前記分岐装置によって分岐された玉を前記賞球補給装置に誘導する誘導通路部材と、前記賞球補給装置を前記横枠に対してスライド調整可能に固定するスライド調整機構と、を備えた遊技島において、
前記誘導通路部材は、その全長方向に沿って伸縮自在に設けられると共に、当該誘導通路部材の通路途中には、前記分岐装置側から前記賞球補給装置側に向かって通路形状が湾曲して形成された湾曲通路部が設けられ、該湾曲通路部は、前記分岐装置に対する配置関係を変えることがないように前記賞球補給装置の側方の前記横枠の一定の位置に固定されることを特徴とする遊技島。
【請求項２】
前記湾曲通路部は、前記誘導通路部材を挿通して内部に遊嵌するパイプ形状の内嵌パイプから構成されることを特徴とする請求項１記載の遊技島。
【請求項３】
前記誘導通路部材は、一端が前記分岐装置に連結される第一の誘導通路部材と、該第一の誘導通路部材とは分離して一端が前記賞球補給装置に連結される第二の誘導通路部材と、から構成され、
前記湾曲通路部は、一端側の開口が前記第一の誘導通路部材の他端が連結される一方、他端側の開口が前記第二の誘導通路部材の他端が連結されるパイプ形状の連結パイプから構成されることを特徴とする請求項１記載の遊技島。
【請求項４】
前記スライド調整機構は、前記横枠に固定して取り付けられると共にスライド溝が形成されたスライドベースと、前記賞球補給装置を構成する固定板に一端側が突出した状態で固定されて前記スライド溝にスライド係合するスライド板と、前記固定板から突出した前記スライド板の突出部分に取り付けられると共に、締付操作によって前記スライド板との間で前記スライド溝を形成する溝形成壁を挟持して前記賞球補給装置を前記スライドベースに固定する固定手段と、から構成されることを特徴とする請求項１乃至請求項３のいずれかに記載の遊技島。
【請求項５】
前記湾曲通路部には、前記スライド溝にスライド係合することで当該湾曲通路部を前記スライドベースに対してスライド可能に取り付ける通路スライド板と、締付操作によって前記通路スライド板との間で前記溝形成壁を挟持して当該湾曲通路部を前記スライドベースに固定する通路固定手段と、が設けられることを特徴とする請求項４記載の遊技島。
【発明の詳細な説明】
【技術分野】
【０００１】
本発明は、複数の遊技機を列設すると共に、該複数の遊技機に玉を補給する補給樋が設けられた遊技島であって、前記補給樋から供給される玉を前記複数の遊技機毎に分岐する分岐装置と、前記複数の遊技機毎に対応して前記遊技島を構成する横枠に取り付けられると共に前記補給樋から供給される玉を前記遊技機の裏面に設置された賞球タンクに補給する賞球補給装置と、前記分岐装置によって分岐された玉を前記賞球補給装置に誘導する誘導通路部材と、前記賞球補給装置を前記横枠に対してスライド調整可能に固定するスライド調整機構と、を備えた遊技島に関するものである。
【背景技術】
【０００２】
従来、一般に、複数の遊技機（例えば、パチンコ機）を列設する遊技島には、当該遊技島の補給樋から供給される賞球をパチンコ機の裏面に設置された賞球タンクに補給するための賞球補給装置が設けられている。賞球補給装置は、各パチンコ機毎に対応して遊技島の横枠に取り付けられるようになっている。また、近年では、パチンコ機の機種に応じて賞球タンクの配置位置が様々に変更される傾向にあり、このような賞球タンクの配置位置の変更に伴い、横枠に対する賞球補給装置の取付位置をスライド移動して位置変更する必要が生じている。このため、例えば特許文献１に開示されている賞球補給装置のように、横枠にレール（スライドベース）を固定して取り付けると共に該レールに対して賞球補給装置をスライド可能に取り付け、固定手段で所望の位置に賞球補給装置を固定するものが提案されている。なお、補給樋から供給されるパチンコ玉は、各パチンコ機毎に対応して設けられた分岐装置から球供給ホース（誘導通路部材）を介して賞球補給装置に送り込まれるようになっている。
【先行技術文献】
【特許文献】
【０００３】
【特許文献１】特開２００７−１３６０２２号公報（図８、図９）
【発明の概要】
【発明が解決しようとする課題】
【０００４】
ところが、上記特許文献１のように、横枠に固定されたレールに対して賞球補給装置をスライド可能に取り付けた構成では、パチンコ機の賞球タンクが分岐装置の真下の位置から見て遠い位置に配置されるような場合には、これに伴って、賞球補給装置を分岐装置から遠い位置にスライド調整して固定することになる。しかしながら、この場合、賞球補給装置側となる球供給ホースの下端部分は、緩やかな湾曲形状ではなく、急激にパチンコ玉の誘導方向を切りかえる屈曲形状となって通路形状に歪みが生じる。従って、分岐装置から供給されるパチンコ玉は、球供給ホースの下端部分で急激に向きをかえて賞球補給装置に供給されるため、球供給ホース下端部分の歪み具合によっては、その歪み部分で玉詰まりが生じることになり、賞球補給装置へのパチンコ玉の供給がスムーズに行えなくなる虞がある。また、賞球補給装置をスライド移動する場合、分岐装置と賞球補給装置との間の高さ位置に配される配線（例えば、賞球補給装置の打止めソレノイドに接続される配線等）がスライド移動中の球供給ホースと接触して、賞球補給装置をスムーズにスライド移動させることができなくなる虞があり、最悪の場合、無理やりに球供給ホースを移動させようとして配線が抜けたり、あるいは球供給ホース自体が賞球補給装置から抜け落ちるという不具合が生じる虞がある。本発明は、上記した事情に鑑みなされたもので、その目的とするところは、分岐装置からのパチンコ玉をスライド調整可能な賞球補給装置に誘導する誘導通路部材を備えた遊技島において、賞球補給装置のスライド位置に関わらず賞球補給装置へのパチンコ玉の供給がスムーズに行え、然も、賞球補給装置のスライド調整に弊害が生じるような不具合を回避することができる遊技島を提供することにある。
【課題を解決するための手段】
【０００５】
上記した目的を達成するために、請求項１の発明においては、複数の遊技機を列設すると共に、該複数の遊技機に玉を補給する補給樋が設けられた遊技島であって、前記補給樋から供給される玉を前記複数の遊技機毎に分岐する分岐装置と、前記複数の遊技機毎に対応して前記遊技島を構成する横枠に取り付けられると共に前記補給樋から供給される玉を前記遊技機の裏面に設置された賞球タンクに補給する賞球補給装置と、前記分岐装置によって分岐された玉を前記賞球補給装置に誘導する誘導通路部材と、前記賞球補給装置を前記横枠に対してスライド調整可能に固定するスライド調整機構と、を備えた遊技島において、前記誘導通路部材は、その全長方向に沿って伸縮自在に設けられると共に、当該誘導通路部材の通路途中には、前記分岐装置側から前記賞球補給装置側に向かって通路形状が湾曲して形成された湾曲通路部が設けられ、該湾曲通路部は、前記分岐装置に対する配置関係を変えることがないように前記賞球補給装置の側方の前記横枠の一定の位置に固定されることを特徴とする。
【０００６】
また、請求項２の発明においては、前記湾曲通路部は、前記誘導通路部材を挿通して内部に遊嵌するパイプ形状の内嵌パイプから構成されることを特徴とする。
【０００７】
また、請求項３の発明においては、前記誘導通路部材は、一端が前記分岐装置に連結される第一の誘導通路部材と、該第一の誘導通路部材とは分離して一端が前記賞球補給装置に連結される第二の誘導通路部材と、から構成され、前記湾曲通路部は、一端側の開口が前記第一の誘導通路部材の他端が連結される一方、他端側の開口が前記第二の誘導通路部材の他端が連結されるパイプ形状の連結パイプから構成されることを特徴とする。
【０００８】
また、請求項４の発明においては、前記スライド調整機構は、前記横枠に固定して取り付けられると共にスライド溝が形成されたスライドベースと、前記賞球補給装置を構成する固定板に一端側が突出した状態で固定されて前記スライド溝にスライド係合するスライド板と、前記固定板から突出した前記スライド板の突出部分に取り付けられると共に、締付操作によって前記スライド板との間で前記スライド溝を形成する溝形成壁を挟持して前記賞球補給装置を前記スライドベースに固定する固定手段と、から構成されることを特徴とする。
【０００９】
更に、請求項５の発明においては、前記湾曲通路部には、前記スライド溝にスライド係合することで当該湾曲通路部を前記スライドベースに対してスライド可能に取り付ける通路スライド板と、締付操作によって前記通路スライド板との間で前記溝形成壁を挟持して当該湾曲通路部を前記スライドベースに固定する通路固定手段と、が設けられることを特徴とする。
【発明の効果】
【００１０】
請求項１の発明においては、分岐装置と賞球補給装置とを繋ぐ誘導通路部材は、分岐装置側から賞球補給装置側に向かって通路形状が湾曲して形成され、且つ分岐装置に対する配置関係を変えることがないように賞球補給装置の側方の横枠の一定の位置に固定される湾曲通路部を備える。また、誘導通路部材における湾曲通路部以外の部分、即ち分岐装置と湾曲通路部との間の部分及び湾曲通路部と賞球補給装置との間の部分は、それぞれ伸縮自在に設けられている。このため、遊技機の賞球タンクが分岐装置に対していずれの位置に配置される場合でも、言い換えれば、賞球補給装置がいずれの位置にスライド調整される場合でも、誘導通路部材における分岐装置と湾曲通路部との間の部分及び湾曲通路部と賞球補給装置との間の部分は、それぞれ直線状の通路形状となり、屈曲する部分は、予め緩やかな曲率を有する湾曲通路部の湾曲部だけである。従って、誘導通路部材の通路途中で急激に玉の誘導方向を切りかえる屈曲形状となって通路形状に歪みが生じるようなことがない。これにより、賞球補給装置のスライド位置に関わらず賞球補給装置への玉の供給がスムーズに行える。
また、この構成によれば、賞球補給装置をスライド移動する場合、分岐装置と湾曲通路部との間の誘導通路部材は、賞球補給装置のスライド移動に伴ってスライド移動することがない。このため、スライド移動中の誘導通路部材と分岐装置と賞球補給装置との間の高さ位置に配される配線（例えば、賞球補給装置の打止めソレノイドに接続される配線等）との接触によって賞球補給装置のスライド調整に弊害が生じるような不具合を回避することができる。さらには、このようなスライド移動中の誘導通路部材と配線との接触をなくすことで、無理やりに誘導通路部材を移動させるようなことがないので、配線が抜けたり、あるいは誘導通路部材自体が賞球補給装置から抜け落ちるという不具合も回避することができる。
【００１１】
また、請求項２の発明においては、誘導通路部材を挿通して内部に遊嵌するパイプ形状の内嵌パイプから湾曲通路部を構成することで、１つの誘導通路部材で誘導通路を形成することができる。
【００１２】
また、請求項３の発明においては、誘導通路部材を第一及び第二の２つの誘導通路部材から構成すると共に、一端側に第一の誘導通路部材を連結される一方で他端側に第二の誘導通路部材を連結させるパイプ形状の連結パイプから湾曲通路部を構成する。これにより、第一の誘導通路部材、第二の誘導通路部材、及び連結パイプの各玉通路の組み合わせによって１つの誘導通路を形成することができる。
【００１３】
また、請求項４の発明においては、横枠に固定されたスライドベースに賞球補給装置を取り付ける場合、スライドベースのスライド溝に対して、賞球補給装置の固定板に固定されたスライド板をスライド係合する。そして、遊技機の賞球タンクと対応する位置に賞球補給装置をスライド移動させ、この状態で固定板から突出したスライド板の突出部分に取り付けられた固定手段を締め付ける。これにより、スライド板と固定手段との間で、スライド溝を形成するスライドベースの溝形成壁を挟持して、賞球補給装置が遊技機の賞球タンクと対応する所望の位置に固定される。このため、賞球補給装置及びスライドベースが横枠の裏面側となり遊技島の外部から直接視認できない個所に配置される場合でも、賞球補給装置の固定板に固定されたスライド板をスライドベースのスライド溝に挿入してスライド係合させるという簡単な作業で賞球補給装置をスライドベースに取り付けることができ、然も、賞球補給装置の固定個所（固定手段の取付個所）はスライド板に１個所設けるだけでよいので、複数個所で賞球補給装置を固定あるいは固定解除する必要がなく、結果として、スライドベースに対する賞球補給装置の着脱作業が容易に行える。
【００１４】
更に、請求項５の発明においては、湾曲通路部に通路スライド板と通路固定手段とを設けることで、湾曲通路部を横枠に対してスライド調整可能に固定することができるので、湾曲通路部の取付位置を微調整することができる。具体的な取付方法としては、スライドベースのスライド溝に対して、湾曲通路部の通路スライド板をスライド係合する。そして、湾曲通路部をスライド移動させ、この状態で通路固定手段を締め付ける。これにより、通路スライド板と通路固定手段との間で、スライド溝を形成するスライドベースの溝形成壁を挟持して、湾曲通路部が所望の位置に固定される。
【図面の簡単な説明】
【００１５】
【図１】同図（Ａ）は遊技島の概略を示す正面図であり、同図（Ｂ）は遊技島の内部構造の概略を示す正面図である。
【図２】補給樋と賞球補給装置とパチンコ機との関係を示す背面図である。
【図３】パチンコ機の背面斜視図である。
【図４】賞球補給装置の作用を示す側面図である。
【図５】賞球補給装置の作用を示す側面図である。
【図６】賞球補給装置の正面から見た斜視図である。
【図７】賞球補給装置の背面から見た斜視図である。
【図８】回動補給部材の背面から見た斜視図である。
【図９】賞球補給装置の一部を切断した正面図である。
【図１０】同図（Ａ）はスライド調整機構を示す上面図であり、同図（Ｂ）はスライド調整機構を示す正面図であり、同図（Ｃ）はスライド調整機構を示す側面図である。
【図１１】同図（Ａ）はホース内嵌パイプを示す分解斜視図であり、同図（Ｂ）は固定板にスライド調整機構のスペーサ及びスライド板を取り付ける状態を示す分解斜視図であり、同図（Ｃ）は固定板にスペーサ及びスライド板を取り付けた状態を示す組付斜視図であり、同図（Ｄ）はスライド調整機構のスライドベースにスペーサ及びスライド板を取り付けた固定板とホース内嵌パイプとを装着する状態を示す分解斜視図であり、同図（Ｅ）はスライドベースにスペーサ及びスライド板を取り付けた固定板とホース内嵌パイプとを装着した状態を示す組立斜視図である。
【図１２】同図（Ａ）はスライド調整機構を遊技島の横枠に取り付けた状態を示す部分拡大図であり、同図（Ｂ）は横枠に取り付けられたスライド調整機構とパチンコ機とを示す上面図である。
【図１３】同図（Ａ）は固定板及びスライドベースの蝶ボルトを締め付けた状態での位置関係を示す上面図であり、同図（Ｂ）は固定板及びスライドベースの蝶ボルトを締め付けた状態での位置関係を示す側面図であり、同図（Ｃ）は固定板及びスライドベースの蝶ボルトを締め付けた状態での位置関係を示す部分拡大図である。
【図１４】同図（Ａ）は固定板及びスライドベースの蝶ボルトを緩めた状態での位置関係を示す上面図であり、同図（Ｂ）は固定板及びスライドベースの蝶ボルトを緩めた状態での位置関係を示す側面図であり、同図（Ｃ）は固定板及びスライドベースの蝶ボルトを緩めた状態での位置関係を示す部分拡大図である。
【図１５】同図（Ａ）は変形例における固定板及びスライドベースの蝶ボルトを締め付けた状態での位置関係を示す側面図であり、同図（Ｂ）は変形例における固定板及びスライドベースの蝶ボルトを緩めた状態での位置関係を示す側面図である。
【図１６】同図（Ａ）はホース内嵌パイプを示す上面図であり、同図（Ｂ）はホース内嵌パイプを示す正面図であり、同図（Ｃ）はホース内嵌パイプを示す側面図であり、同図（Ｄ）はホース内嵌パイプを示す斜視図である。
【図１７】同図（Ａ），（Ｂ）はホース内嵌パイプを取り付けない状態でのスプリングホースの通路形状を説明するための正面図であり、同図（Ｃ），（Ｄ）はホース内嵌パイプを取り付けた状態でのスプリングホースの通路形状を説明するための正面図である。
【図１８】同図（Ａ）は湾曲通路部の変形例であるホース連結パイプを示す分解斜視図であり、同図（Ｂ）は固定板にスライド調整機構のスペーサ及びスライド板を取り付ける状態を示す分解斜視図であり、同図（Ｃ）は固定板にスペーサ及びスライド板を取り付けた状態を示す組付斜視図であり、同図（Ｄ）はスライド調整機構のスライドベースにスペーサ及びスライド板を取り付けた固定板とホース連結パイプとを装着する状態を示す分解斜視図であり、同図（Ｅ）はスライドベースにスペーサ及びスライド板を取り付けた固定板とホース連結パイプとを装着した状態を示す組立斜視図である。
【図１９】同図（Ａ）はホース連結パイプを示す上面図であり、同図（Ｂ）はホース連結パイプを示す正面図であり、同図（Ｃ）はホース連結パイプを示す側面図であり、同図（Ｄ）はホース連結パイプを示す斜視図である。
【図２０】同図（Ａ），（Ｂ）はホース連結パイプを取り付けた状態でのスプリングホースの通路形状を説明するための正面図である。
【発明を実施するための形態】
【００１６】
以下、図面を参照して本発明の実施形態について説明する。まず、図１を参照して実施形態に係る遊技島１について説明する。図１（Ａ）は、遊技島１の概略を示す正面図であり、図１（Ｂ）は、遊技島１の内部構造の概略を示す正面図である。なお、本実施形態における遊技島１に設置される遊技機としてパチンコ機８が設置された場合で説明するが、パチンコ玉を使用して遊技を行う遊技機であれば、どのような遊技機が設置されるものであってもよい。
【００１７】
図１（Ａ）において、遊技島１は、周知のようにそのほぼ中央側面に複数のパチンコ機８と玉貸機５０とを交互に列設するように直方体状に枠組み形成され、パチンコ機８の列設位置の下方に外側に突出するカウンター台を挟んで腰板５１が設けられている。また、各パチンコ機８の上部には、呼出ランプ装置５３が取り付けられる装飾板５２が設けられ、更にその上部に開閉自在な幕板５４が設けられている。
【００１８】
また、遊技島１の内部は、図１（Ｂ）に示すように、その下方部に各パチンコ機８から排出されるパチンコ玉を受け入れ且つ当該遊技島１で営業中に必要とされ得る玉量を貯留する貯留タンク５５が設けられ、そのほぼ中央に貯留タンク５５に貯留された玉を導きいれて上部に揚送する玉揚送装置５６が設けられている。本実施形態における玉揚送装置５６は、モータによって回転する革ベルトの旋回運動によって玉を揚送するものであり、その揚送中に革ベルトに対面して設けられる研磨布と玉とが接触して玉を研磨しながら上部に揚送するものである。玉揚送装置５６に揚送された玉は、一旦上部タンクに貯留され、その上部タンクの上方側部から遊技島１の端部に向かって傾斜状に配置される補給樋２に供給される。
【００１９】
補給樋２には、分岐装置３が設けられ、その分岐装置３によって分岐された玉が分岐装置３に接続されるスプリングホース７と賞球補給装置２０とを介して各パチンコ機８の背面上部に設けられる賞球タンク１１に供給される。また、各パチンコ機８で使用されたパチンコ玉は、遊技島１の裏面下部に取り付けられるアウト玉タンク５７に放出された後、回収樋５８によって回収され、更に前記貯留タンク５５に貯留され、その後、上記したように玉揚送装置５６によって上部に研磨揚送される。つまり、パチンコ玉は、遊技島１の内部を循環して使用されている。
【００２０】
次に、本実施形態の要部を構成する賞球補給装置２０について、図２乃至図１５を参照して説明する。図２は、補給樋２と賞球補給装置２０とパチンコ機８との関係を示す背面図である。図３は、パチンコ機８の背面斜視図である。図４は、賞球補給装置２０の作用を示す側面図である。図５は、賞球補給装置２０の作用を示す側面図である。図６は、賞球補給装置２０の正面から見た斜視図である。図７は、賞球補給装置２０の背面から見た斜視図である。図８は、回動補給部材３０の背面から見た斜視図である。図９は、賞球補給装置２０の一部を切断した正面図である。図１０（Ａ）は、スライド調整機構６０を示す上面図であり、図１０（Ｂ）は、スライド調整機構６０を示す正面図であり、図１０（Ｃ）は、スライド調整機構６０を示す側面図である。図１１（Ａ）は、ホース内嵌パイプ８０を示す分解斜視図であり、図１１（Ｂ）は、固定板２２にスライド調整機構６０のスペーサ６２及びスライド板６３を取り付ける状態を示す分解斜視図であり、図１１（Ｃ）は、固定板２２にスペーサ６２及びスライド板６３を取り付けた状態を示す組付斜視図であり、図１１（Ｄ）は、スライド調整機構６０のスライドベース６１にスペーサ６２及びスライド板６３を取り付けた固定板２２とホース内嵌パイプ８０とを装着する状態を示す分解斜視図であり、図１１（Ｅ）は、スライドベース６１にスペーサ６２及びスライド板６３を取り付けた固定板２２とホース内嵌パイプ８０とを装着した状態を示す組立斜視図である。図１２（Ａ）は、スライド調整機構６０を遊技島１の横枠５９に取り付けた状態を示す部分拡大図であり、図１２（Ｂ）は、横枠５９に取り付けられたスライド調整機構６０とパチンコ機８とを示す上面図である。図１３（Ａ）は、固定板２２及びスライドベース６１の蝶ボルト６４を締め付けた状態での位置関係を示す上面図であり、図１３（Ｂ）は、固定板２２及びスライドベース６１の蝶ボルト６４を締め付けた状態での位置関係を示す側面図であり、図１３（Ｃ）は、固定板２２及びスライドベース６１の蝶ボルト６４を締め付けた状態での位置関係を示す部分拡大図である。図１４（Ａ）は、固定板２２及びスライドベース６１の蝶ボルト６４を緩めた状態での位置関係を示す上面図であり、図１４（Ｂ）は、固定板２２及びスライドベース６１の蝶ボルト６４を緩めた状態での位置関係を示す側面図であり、図１４（Ｃ）は、固定板２２及びスライドベース６１の蝶ボルト６４を緩めた状態での位置関係を示す部分拡大図である。図１５（Ａ）は、変形例における固定板２２’及びスライドベース６１’の蝶ボルト６４を締め付けた状態での位置関係を示す側面図であり、図１５（Ｂ）は、変形例における固定板２２’及びスライドベース６１’の蝶ボルト６４を緩めた状態での位置関係を示す側面図である。
【００２１】
図２において、補給樋２を流下する賞球は、分岐装置３によって分岐される。この分岐装置３は、賞球を一列に整列させながら取込むものであり、その通路の途中に玉ならし４が垂下され、更に、故障を修理するとき等に賞球の流下を停止させることが可能なストッパー５が設けられている。分岐装置３の下方には、支持台によって補給用計数器６が着脱自在に取付けられる。この補給用計数器６は、周知のように、ボックス状に形成されると共に、その先端側に賞球が通過する玉通路が形成され、その玉通路に臨んで計数歯車が回転自在に軸支されている。そして、玉通路を流下する賞球と計数歯車の爪とが係合して計数歯車を回転させ、計数歯車が一回転する毎にパルス信号を発するようになっている。つまり、計数歯車の爪数に対応する賞球が通過する毎に１パルスが発せられるので、実際に補給された賞球は、「爪数（例えば、１０個）×パルス数」によって算出される。
【００２２】
ところで、補給用計数器６を支持する支持台には、その前端上部に分岐装置３から流下してきた賞球が誘導される出口が形成され、その前端下部にスプリングホース７の上端が固定されている。また、スプリングホース７の下端は、賞球補給装置２０に接続されている。これにより、賞球が分岐装置３から補給用計数器６に流入し、補給用計数器６で計数された賞球がスプリングホース７に排出されて賞球補給装置２０に供給される。なお、スプリングホース７は、針金がスプリング状に捲回されてその内部空間が玉の誘導通路を形成すると共に、該誘導通路の全長方向に沿って伸縮自在に設けられた本発明の誘導通路部材を構成している。また、スプリングホース７の通路途中には、分岐装置３側から賞球補給装置２０側に向かって通路形状が湾曲して形成された湾曲通路部としてのホース内嵌パイプ８０（内嵌パイプ）が設けられている。ホース内嵌パイプ８０は、スプリングホース７の通路形状を調整するものであり、その詳細な構成については後述する。
【００２３】
そして、上記した賞球補給装置２０に対応してパチンコ機８が配置されるが、このパチンコ機８の構成について図３を参照して説明する。図において、パチンコ機８は、遊技島１の横枠５９に支持固定される方形状の機枠９を有し、その機枠９の前方一側に前面枠１５が開閉自在に設けられている。そして、この前面枠１５にパチンコ機１を構成する主要部品の大部分が装着されている。パチンコ機１を構成する主要部品として遊技盤（図示しない）があり、その遊技盤の裏面を機構板１０が覆っている。機構板１０の上部には、賞球補給装置２０から供給される賞球を貯留する賞球タンク１１と、該賞球タンク１１に貯留された賞球を整列しながら誘導する賞球誘導通路１２と、該賞球誘導通路１２から供給された玉を入賞球毎に所定個数ずつ区切って排出する賞球排出装置（図示しない）から排出された賞球を誘導する賞球排出樋１３と、が設けられている。そして、上記のように構成される機構板１０は、前面枠１５の開閉動作に伴って一緒に機枠９に対して開閉動作するものであるため、機構板１０に設けられる各部品も開閉動作することになる。なお、前面枠１５の下部一側には、打球を発射駆動するための打球発射装置１４が取り付けられている。
【００２４】
賞球補給装置２０は、図４乃至図９に示すように、賞球を一列に整列して流下させる整列通路２６が固着された支持台２１と、該支持台２１に第１の状態と第２の状態とに回動可能に軸支され、且つ前記整列通路２６と連通すると共にその先端が前記賞球タンク１１内に臨む補給筒３２と作動腕３３とが二又状に形成された回動補給部材３０と、該回動補給部材３０の回動に従動して前記整列通路２６から前記補給筒３２への賞球の流下を制御する球止め部材４０とから構成される。
【００２５】
まず、支持台２１は、図６、図７、及び図９に示すように、前記遊技島１の横枠５９に賞球補給装置２０を固定するための固定板２２と、該固定板２２に対してスライド可能に取着されるスライド板２３とから構成されている。固定板２２は、上壁２２ｃと側壁２２ｄとを備えた断面「Ｌ」字状に形成される（図１０参照）と共に、遊技島１の横枠５９にビス止めして取り付けられるスライドベース６１等からなるスライド調整機構６０（共に図２参照）を介して横枠５９に固定されるようになっている。なお、スライド調整機構６０は、賞球補給装置２０を横枠５９に対してスライド調整可能に固定するものであり、その詳細については後で詳述する。
【００２６】
固定板２２の側面には、縦スライド穴２４が形成されている。この縦スライド穴２４は、スライド板２３から突設されたネジを貫通するもので、その貫通したネジを蝶ナット２５で螺着することにより、スライド板２３の固定板２２に対する位置を自由に設定することができるようになっている。このように構成することにより、後述する回動補給部材３０の補給筒３２の先端と賞球タンク１１の底面１１ｂとの間隔を調節して賞球タンク１１に貯留される賞球の量を調節できるようにしている。なお、縦スライド穴２４は、一側だけに形成され、他側には、図６に示すように固定板２２に形成される係止溝２２ａにスライド板２３の端縁部に形成されるスライド片２３ａが係合案内されるようになっている。また、固定板２２及びスライド板２３には、図７に示すように、後述する回動補給部材３０が回動したときに補給筒３２が侵入し得る切欠部２２ｂ，２３ｂがそれぞれ形成されている。
【００２７】
一方、スライド板２３には、その一側に前記スプリングホース７の末端と接続するホース接続具２７が形成され、そのホース接続具２７に連続して整列通路２６が設けられている。この整列通路２６の上部には、打止めソレノイド２９が配置され、この打止めソレノイド２９のプランジャに整列通路２６に出没するストッパー部２９ａが連結されている。このため、所定個数（例えば、３０００個）の賞球が遊技者に払出されたときに図示しない管理コンピュータから導出される打止め信号に基づいて打止めソレノイド２９が励磁されると、ストッパー部２９ａが整列通路２６内に侵入して賞球の流下を停止させ、それ以上の賞球が賞球補給装置２０から賞球タンク１１に払出されないようになっている。なお、打止めソレノイド２９の励磁状態に伴うノイズが発生しても、そのノイズにより誤動作する可能性のある補給用計数器６が前記したように離れた位置に設けられるので、このような誤動作を発生させないようにすることができる。更に、補給用計数器６と打止めソレノイド２９とが離れて設置されていることにより、遊技島１内部の配線の集中を緩和することができるという利点もあるし、賞球補給装置２０の設置個所が遊技島１の内部の最も配線の集中する個所に近いため、その配線から発生するノイズによる補給用計数器６の誤動作も防止することができる。
【００２８】
一方、整列通路２６の他端には、回動補給部材３０が回動自在に設けられている。回動補給部材３０は、内部が空洞状に形成された「Ｔ」状の補給筒形成部材３１と該補給筒形成部材３１に対して直角よりも鋭角的に連結された作動腕３３が二又状に形成された構成となっている。補給筒形成部材３１は、「Ｔ」字状の上部横辺が回動軸となっており、前記整列通路２６を形成する部材端部の軸受部２８ａとスライド板２３に固着される軸受部２８ｂとによって挟持されて回動自在となっており、「Ｔ」字状の上部横辺の一側から垂直辺にかけて空洞となって補給筒３２を構成している。そして、この補給筒３２は、その入口が前記整列通路２６と連通する接続口３７となっており、その出口が下部先端に形成された放出口３８となっている。また、補給筒形成部材３１の上部には、凸部が形成され、該凸部に取付ピン３４を介して作動腕３３が取り付けられている。なお、この取付ピン３４には、補給筒形成部材３１と作動腕３３とを相互に引きつけ合うように作用するスプリング３５ｂが軸支されているが、これは、回動補給部材３０の回動直後に作動腕３３と補給筒３２との位置を常に一定に保持するためのものである。また、回動補給部材３０は、補給筒３２が垂直状態となる第１の状態と、補給筒３２が水平状態となる第２の状態との二位置の間で回動可能となっているが、その二位置の状態を保持するため、補給筒形成部材３１の回動軸にスプリング３５ａが係止されている。更に、回動補給部材３０の回動動作を案内するために、図８に示すように、軸受部２８ａの側面には、円弧状のガイド突片３６ａが突設され、補給筒３２の側面には、ガイド突片３６ａを挾持するガイド溝突起３６ｂが形成されている。
【００２９】
一方、補給筒形成部材３１の上端一側外周には、半楕円形状の係合カム３９が突設され、この係合カム３９と対応するように球止め部材４０が軸受部２８ａに遊嵌される支軸４２を中心に揺動自在に軸支されている。球止め部材４０は、その後端上部を支軸４２によって支持されると共に、該支軸４２を軸受部２８ａの外側に突出させ、その突出部分に球止め部材４０を反時計方向（ストッパーピン４１を突入させる方向）に付勢するスプリング４３が設けられている。また、球止め部材４０の上辺先端に補給筒３２の接続口３７に侵入するストッパーピン４１が下向きに装着されている。このストッパーピン４１は、補給筒形成部材３１に穿設された溝状の突入穴４６から接続口３７内に侵入するようになっている。また、球止め部材４０の下面上端部には、１つの当接凸部４０ａが形成され、その当接凸部４０ａから後方が前記係合カム３９の形状に対応する凹部４０ｂとなっている。なお、前記ストッパーピン４１は、その上端をバネ性の係止片４４によって押されており、ストッパーピン４１が侵入したときに内部を流下する賞球と当接した場合、その反力を緩衝しながら賞球の間にスムーズに侵入させるようになっているが、時としてストッパーピン４１が賞球の表面に当接したままの状態となることもある。
【００３０】
ところで、前記補給筒形成部材３１に形成される補給筒３２は、前記接続口３７部分での寸法がパチンコ玉の直径よりも大きく形成されていてもよいが、少なくとも「Ｔ」字状の垂直辺に対応する部分の外形巾寸法が図４に示すようにパチンコ玉の直径よりも僅かに大きい程度の寸法Ｗとされていると共に、その垂直辺部の下方部分は、流下するパチンコ玉が落下しない程度に前後方向に貫通しており、また、「Ｔ」字状の屈曲部には、誘導片４５が突設され、賞球を下方に向けてスムーズに流下するようになっている。
【００３１】
上記の構成からなる回動補給部材３０の作用について図４及び図５を参照して説明する。まず、図４に示すようにパチンコ機８の前面枠１５を開放した状態では、回動補給部材３０は、補給筒３２が水平状態となった第２の状態となっていると共に、賞球タンク１１が前方に移動している。この第２の状態では、スプリング４３の付勢力により球止め部材４０の上部先端が支軸４２を中心にして下方向に回動した状態となり、これがためストッパーピン４１が補給筒３２内に侵入して内部を流下する賞球の流下を停止させる。これにより、補給筒３２の放出口３８から賞球が流出しないので、賞球タンク１１が前方に移動していても賞球が遊技島１内に落下することがない。
【００３２】
図４の状態からパチンコ機８の前面枠１５を閉じるように移動させると、賞球タンク１１の側壁１１ａと作動腕３３とが当接して回動補給部材３０を強制的に回動させる。このとき、係合カム３９も回動して凹部４０ｂに沿って移動し、遂には、当接凸部４０ａと係合カム３９の先端頭部とが当接した状態となる。この状態になると、球止め部材４０の上部上端が上昇した位置となるため、ストッパーピン４１が補給筒３２から退避した状態となり賞球の流下状態を許容する。この許容した時点では、既に補給筒３２の放出口３８が賞球タンク１１の内部に位置しているので、流出した賞球が賞球タンク１１の底面１１ｂに放出され、遊技島１内部にこぼれることがない。この場合、貯留される賞球の量は、賞球タンク１１の底面１１ｂから放出口３８の高さまでである。これは、放出口３８の高さまで賞球が貯留されると、放出口３８から流出しようとする賞球がその貯留された賞球によって押圧されて流出できなくなるからである。また、本実施形態においては、図２に示すように補給筒３２の放出口３８が賞球タンク１１と賞球誘導通路１２との連絡口（図示しない）に向かって放出されるようになっているので、賞球補給装置２０から賞球タンク１１を通って賞球誘導通路１２に至る賞球の流れがスムーズに行われると共に、賞球タンク１１に貯留される賞球数を放出口３８の下流側だけに適宜の量貯留できる。したがって、特別に圧抜き器等の部品を装着することなく、貯留される賞球の量を抑えることができるので、パチンコ機８の入れ替があった場合にも何等の手数を掛ける必要もないし、また、必要に応じて前記縦スライド穴２４を調節してスライド板２３を上下することにより、賞球タンク１１に貯留される賞球の量を変化させることができる。
【００３３】
以上説明した動作と逆にパチンコ機８の前面枠１５を開放する場合には、図５から図４に移行することになるが、これを簡単に説明すると、パチンコ機８の前面枠１５を開放すべく移動させると、賞球タンク１１の内側の側壁１１ａと補給筒３２とが係合して、そのまま補給筒３２を時計方向に回動させる。このとき、係合カム３９も回動して球止め部材４０の凹部４０ｂに沿って移動するだけで球止め部材４０からの影響を受けることなく回動される。そして、仮にストッパーピン４１が賞球と当接したままの状態で球止め部材４０が図５に示す状態のままであっても、回動補給部材３０は、図４に示す補給筒３２を水平とする状態となるので、賞球タンク１１が外れても回動補給部材３０が図５に示す状態に戻ることはない。したがって、前面枠１５を開放したときに賞球がパチンコ機１の外部に落ちることはない。なお、ストッパーピン４１が賞球と当接したままの状態のときには、その当接している賞球が後続の賞球の玉圧によって押され、それによって前方に移動するので、その移動直後にストッパーピン４１がスプリング４３の付勢力に押されて整列通路２６内に侵入しその流下を停止するようになっている。
【００３４】
次に、上記した賞球補給装置２０を横枠５９に対してスライド調整可能に固定するスライド調整機構６０について図１０乃至図１５を参照して説明する。
【００３５】
スライド調整機構６０は、図１０（Ａ）〜（Ｃ）に示すように、遊技島１の横枠５９にビス６６で固定されるスライドベース６１と、賞球補給装置２０を構成する前記固定板２２にビス６７ａ止めして取り付けられるスペーサ６２及びスライド板６３と、該スライド板６３に取り付けられる固定手段としての蝶ボルト６４及びワッシャー６５と、から構成されている。
【００３６】
スペーサ６２は、図１１（Ｂ）〜（Ｄ）に示すように、横長方形状の平板からなり、その平板面には長手方向に沿った３個所にビス６７ａ止め用の取付穴６２ａが穿設されている。一方、スライド板６３は、スペーサ６２に比べて若干大きめとなる横長方形状の平板からなり、その平板面には長手方向に沿った３個所にビス６７ａ止め用の取付穴６３ａが穿設されている。また、スペーサ６２の横長寸法は、固定板２２の横幅寸法（スペーサ６２を取り付ける側壁２２ｄの横幅寸法）とほぼ同一に設定されている。これにより、スペーサ６２は、固定板２２の左右両側端から突出することなく固定板２２の側壁２２ｄにビス６７止めされる。これに対して、スライド板６３の横長寸法は、固定板２２の横幅寸法に比べて長めに設定されている。そして、スライド板６３は、固定板２２との間にスペーサ６２を挟持した状態で固定板２２の側壁２２ｄにワッシャー６７ｂを介してビス６７ａ止めされるものであるが、その一端部が固定板２２（側壁２２ｄ）の一側端とほぼ同じ位置に配されることで、他端部が固定板２２（側壁２２ｄ）の他側端から突出した状態で固定板２２にビス６７ａ止めされ、当該固定板２２からの突出部分が蝶ボルト６４及びワッシャー６５の取付部６８を構成するようになっている。なお、取付部６８には、蝶ボルト６４を螺着するための螺着穴６８ａが穿設されている。
【００３７】
スライドベース６１は、断面が「Ｌ」字状に形成されると共に、その全長が固定板２２の横幅寸法よりも大きく設定されている。横枠５９の上端面と面接触して固定されるスライドベース６１の上壁片７０ａには、ビス６６止め用の取付穴７１が２個所に穿設され、スライドベース６１の側壁片７０ｂには、固定板２２にビス６７ａ止めされたスペーサ６２及びスライド板６３と係合するスライド溝７２がスライドベース６１の全長に亘って条設されている。スライド溝７２の下側部分となる側壁片７０ｂの下端には、蝶ボルト６４の締め付けを解除した状態で固定板２２の側壁２２ｄと当接してスライドベース６１に対する固定板２２の傾動を規制する規制突起７３がスライドベース６１の全長に亘って突設されている。また、スライド溝７２と規制突起７３との間に位置する側壁片７０ｂの部分には、スライドベース６１の側壁片７０ｂを横枠５９の側端面と面接触して固定するビス６６止め用の取付穴７７が２個所に穿設されている（図１０（Ｂ）参照）。
【００３８】
なお、上記したスライドベース６１の上壁片７０ａに穿設されたビス６６止め用の取付穴７１は、図１０（Ａ）に示すように、賞球補給装置２０をスライドベース６１に取り付けた状態で、賞球補給装置２０を構成する固定板２２の上壁２２ｃが当該取付穴７１を覆い隠さない位置に穿設されている。また、スライドベース６１の側壁片７０ｂに穿設されたビス６６止め用の取付穴７７は、図１０（Ｂ）に示すように、２つの取付穴７７の間隔が固定板２２の横幅寸法よりも長く設定されている。このため、スライドベース６１を横枠５９にビス６６止めする場合あるいは横枠５９から取り外す場合には、スライドベース６１に賞球補給装置２０を取り付けた状態で各々の作業を行うことができるので、スライドベース６１の取り付け及び取り外しの作業効率を高めることができる。また、スライド溝７２の下側部分となる側壁片７０ｂの下端に規制突起７３を延設することで、スライドベース６１自体の強度を高める効果も奏している。
【００３９】
しかして、上記したスライド調整機構６０を構成するスライドベース６１は、図１２（Ａ），（Ｂ）に示すように、遊技島１に設置される各パチンコ機８毎に各取付穴７１，７７を介して横枠５９にビス６６で固定して取り付けられる。次いで、このように横枠５９に固定されたスライドベース６１のスライド溝７２に、固定板２２にビス６７ａ止めされたスライド調整機構６０を構成するスペーサ６２及びスライド板６３を側方からスライド挿入することで（図１１（Ｄ）参照）、固定板２２、言い換えれば賞球補給装置２０が横枠５９に固定されたスライドベース６１に対してスライド可能に取り付けられる（図１１（Ｅ）参照）。そして、パチンコ機８の賞球タンク１１と対応する位置に賞球補給装置２０をスライド移動させ、この状態でスライド板６３の取付部６８に取り付けられた蝶ボルト６４を締め付ける。これにより、スライド板６３とワッシャー６５との間で、スライド溝７２を形成するスライドベース６１の溝形成壁７４を挟持することになり、結果として、賞球補給装置２０がパチンコ機８の賞球タンク１１と対応する所望の位置に固定される。
【００４０】
ところで、上記したスライド調整機構６０を構成するスライドベース６１、スペーサ６２、及びスライド板６３は、図１３（Ｃ）に示すように各寸法が設定されている。図１３（Ｃ）において、スライドベース６１における側壁片７０ｂの前端面から溝形成壁７４の後端面までの長さ寸法、言い換えればスライド溝７２の奥行寸法Ｗ１は、７ｍｍである。スライド板６３の板厚寸法Ｗ２は、２．３ｍｍである。スペーサ６２の板厚寸法Ｗ３は、３．２ｍｍである。側壁片７０ｂの前端面から規制突起７３の先端部までの長さ寸法Ｗ４は、９ｍｍである。なお、規制突起７３の先端部は、溝形成壁７４の前端面と同一の突出位置に配される。このため、長さ寸法Ｗ４は、側壁片７０ｂの前端面から溝形成壁７４の前端面までの長さ寸法ともなる。このことから、溝形成壁７４の厚さ寸法Ｗ５は、寸法Ｗ４から寸法Ｗ１を減算した２ｍｍとなる。
【００４１】
上記した各寸法の設定において、スライド溝７２の奥行寸法Ｗ１（＝７ｍｍ）は、スライド板６３の板厚寸法Ｗ２（＝２．３ｍｍ）に対してかなりの余裕を持たせた値に設定し、然も、スペーサ６２の板厚寸法Ｗ３（＝３．２ｍｍ）は、溝形成壁７４の厚さ寸法Ｗ５（＝２ｍｍ）に対して若干の余裕を持たせた値に設定している。これにより、スライド板６３は、若干のガタ付きを持った遊嵌状態でスライド溝７２内にスライド挿入されるようになっている。
【００４２】
そして、図１３（Ａ）〜（Ｃ）に示すように、蝶ボルト６４を締め付けてスライド板６３とワッシャー６５との間で溝形成壁７４を挟持し、賞球補給装置２０をスライドベース６１に固定した状態では、蝶ボルト６４の締付力によってスライド板６３の前端面が溝形成壁７４の後端面と完全に当接した状態（面接触した状態）となる。従って、固定板２２の上壁２２ｃは、その下端面がスライドベース６１の上壁片７０ａに押し付けられた状態で上壁片７０ａと面接触する。また、スライドベース６１の規制突起７３は、固定板２２の側壁２２ｄとの当接状態が解除され、規制突起７３と側壁２２ｄとの間には隙間Ｗ６が生じた状態となる。なお、この隙間Ｗ６は、寸法Ｗ３から寸法Ｗ５を減算した１．２ｍｍとなる。このため、蝶ボルト６４の締め付けによりスライドベース６１に固定された賞球補給装置２０は、固定板２２の上壁２２ｃがスライドベース６１の上壁片７０ａと面接触されることで、相互間の摩擦抵抗によってスライドベース６１に対する固定強度が高められるようになっている。
【００４３】
さらに、図５に示すように、賞球補給装置２０が賞球の流下を許容している状態、つまり、パチンコ機８に賞球を補給している状態においては、パチンコ機８の賞球タンク１１の側壁１１aが作動腕３３と当接して回動補給部材３０を時計方向に強制的に回動させていることにより、賞球補給装置２０の固定板２２の上壁２２ｃがスライドベース６１の上壁片７０aに面接触する方向に付勢されるため、固定強度をより一層高めることができる。
【００４４】
一方、図１４（Ａ）〜（Ｃ）に示すように、蝶ボルト６４を緩めてスライド板６３とワッシャー６５との間での溝形成壁７４の挟持を解除し、賞球補給装置２０をスライドベース６１に対してスライド可能にした状態では、蝶ボルト６４の締付力がなくなることでスライド板６３の前端面と溝形成壁７４の後端面との面接触が解除される。これにより、賞球補給装置２０は、自重によってスライド板６３の前端面と溝形成壁７４の後端面との部分的な当接部分Ｔ（図１４（Ｃ）参照）を中心として図１４（Ｃ）に示す反時計方向へ若干回動することになる。従って、固定板２２の側壁２２ｄは、スライドベース６１の規制突起７３と当接した状態となり、固定板２２の上壁２２ｃは、スライドベース６１の上壁片７０ａとの面接触状態が解除され、上壁２２ｃと上壁片７０ａとの間に隙間が生じる。このため、蝶ボルト６４を緩めて賞球補給装置２０の固定位置を調整する際には、固定板２２の上壁２２ｃとスライドベース６１の上壁片７０ａとの面接触による相互間の摩擦抵抗が殆どない状態となり、スライドベース６１に対する賞球補給装置２０のスライド移動がスムーズに行え、調整作業が容易に行えるようになっている。
【００４５】
なお、図１５に示す変形例の固定板２２’のように、上壁２２ｃの先端部分に天然ゴム等の摩擦抵抗の大きい材料から形成された高摩擦抵抗部材７５を一体的に設け、図１５に示す変形例のスライドベース６１’のように、規制突起７３の先端部分にポリイミド樹脂等の摩擦抵抗の小さい材料から形成された低摩擦抵抗部材７６を一体的に設けるようにしてもよい。このような変形例の構成において、蝶ボルト６４を締め付けてスライド板６３とワッシャー６５との間で溝形成壁７４を挟持し、賞球補給装置２０をスライドベース６１’に固定した状態では、図１５（Ａ）に示すように、固定板２２’の上壁２２ｃがスライドベース６１’の上壁片７０ａと面接触するものであるが、この場合、上壁２２ｃの先端部分に設けられた高摩擦抵抗部材７５が上壁片７０ａと面接触することで、上壁２２ｃと上壁片７０ａとの間に生じる摩擦抵抗が高まり、賞球補給装置２０のスライドベース６１’に対する固定強度をより一層高めることができる。
【００４６】
また、蝶ボルト６４を緩めてスライド板６３とワッシャー６５との間での溝形成壁７４の挟持を解除し、賞球補給装置２０をスライドベース６１’に対してスライド可能にした状態では、図１５（Ｂ）に示すように、固定板２２’の上壁２２ｃとスライドベース６１’の上壁片７０ａとの面接触が解除され、固定板２２’の側壁２２ｄがスライドベース６１’の規制突起７３と当接するものであるが、この場合、規制突起７３の先端部分に設けられた低摩擦抵抗部材７６が側壁２２ｄと当接することで、側壁２２ｄと規制突起７３との間に生じる摩擦抵抗が低減し、スライドベース６１’に対する賞球補給装置２０のスライド移動がより一層スムーズに行える。
【００４７】
次に、スプリングホース７の通路途中に設けられてスプリングホース７の通路形状を調整するホース内嵌パイプ８０について、図１１、図１６、及び図１７を参照して説明する。図１６（Ａ）は、ホース内嵌パイプ８０を示す上面図であり、図１６（Ｂ）は、ホース内嵌パイプ８０を示す正面図であり、図１６（Ｃ）は、ホース内嵌パイプ８０を示す側面図であり、図１６（Ｄ）は、ホース内嵌パイプ８０を示す斜視図である。図１７（Ａ），（Ｂ）は、ホース内嵌パイプ８０を取り付けない状態でのスプリングホース７の通路形状を説明するための正面図であり、図１７（Ｃ），（Ｄ）は、ホース内嵌パイプ８０を取り付けた状態でのスプリングホース７の通路形状を説明するための正面図である。
【００４８】
ホース内嵌パイプ８０は、図１１（Ａ）及び図１６（Ａ）〜（Ｄ）に示すように、通路形状が湾曲して形成されたパイプ本体８１と、該パイプ本体８１の裏面側に一体的に固定された平板状のベース体８２と、該ベース体８２にビス８６ａ止めして取り付けられるスペーサ８３及び通路スライド板としてのスライド板８４と、ベース体８２に取り付けられる通路固定手段としての蝶ボルト８５と、から構成される。
【００４９】
パイプ本体８１は、伸縮自在のスプリングホース７とは異なり通路の長さ寸法が一定に形成され、且つスプリングホース７を挿通して内部に遊嵌し得るパイプ形状に形成されている。ベース体８２には、スペーサ８３及びスライド板８４をビス８６ａ止めするための取付穴８２ａと、蝶ボルト８５を螺着するための螺着穴８２ｂと、が穿設されている。
【００５０】
スペーサ８３は、横長方形状の平板からなり、その平板面のほぼ中央にはビス８６ａ止め用の取付穴８３ａ（図１１（Ａ）参照）が穿設されている。スライド板８４は、スペーサ８３に比べて若干大きめとなる横長方形状の平板からなり、その平板面には長手方向に沿ってビス８６ａ止め用の取付穴８４ａと蝶ボルト８５螺着用の螺着穴８４ｂとが穿設されている。そして、スペーサ８３及びスライド板８４は、ワッシャー８６ｂを介してベース体８２にビス８６ａ止めされる。また、この状態で、スライド板８４の一端側に穿設された螺着穴８４ｂは、スペーサ８３の一端から突出して配され、ベース体８２に螺着された蝶ボルト８５の先端部が螺着されるようになっている。
【００５１】
しかして、上記したホース内嵌パイプ８０は、図１１（Ｄ），（Ｅ）に示すように、横枠５９に固定されたスライドベース６１のスライド溝７２にスペーサ８３及びスライド板８４を側方からスライド挿入することで、スライドベース６１に対してスライド可能に取り付けられる。そして、パイプ本体８１に対してスプリングホース７を挿通して内部に遊嵌して取り付け（パイプ本体８１に内嵌して取り付け）、この状態で、分岐装置３側から賞球補給装置２０側に向かってスプリングホース７がスムーズに湾曲する位置にホース内嵌パイプ８０をスライド移動させて、ベース体８２及びスライド板８４に螺着された蝶ボルト８５を締め付ける。これにより、ベース体８２とスライド板８４との間でスライドベース６１の溝形成壁７４が挟持されて、ホース内嵌パイプ８０が所望の位置に固定される。なお、ホース内嵌パイプ８０は、スプリングホース７が分岐装置３側からほぼ垂直方向に垂下するように、分岐装置３のほぼ真下位置に配置されるのが望ましい（図１７（Ｃ），（Ｄ）参照）。
【００５２】
ここで、ホース内嵌パイプ８０によるスプリングホース７の通路形状の調整について図１７を参照して説明する。先ず、図１７（Ａ），（Ｂ）を参照してホース内嵌パイプ８０を取り付けない状態でのスプリングホース７の通路形状について説明すると、図１７（Ａ）に示すように、パチンコ機８の賞球タンク１１が分岐装置３のほぼ真下位置、言い換えれば分岐装置３に近い位置に配置される場合は、これに伴って、賞球補給装置２０を分岐装置３のほぼ真下位置（分岐装置３に近い位置）にスライド調整して固定することになる。このため、分岐装置３から供給されるパチンコ玉を賞球タンク１１に誘導するスプリングホース７は、分岐装置３側からほぼ垂直方向に垂下して、その下端で緩やかに湾曲して賞球補給装置２０側に向う通路形状となる。従って、分岐装置３から供給されるパチンコ玉は、スプリングホース７を通ってほぼ垂直に落下した後、緩やかにカーブして賞球補給装置２０に供給されることで、パチンコ玉の供給がスムーズに行われる。
【００５３】
これに対して、図１７（Ｂ）に示すように、パチンコ機８の賞球タンク１１が分岐装置３の右側下方位置、言い換えれば分岐装置３から遠い位置に配置される場合は、これに伴って、賞球補給装置２０を分岐装置３の右側下方位置（分岐装置３から遠い位置）にスライド調整して固定することになる。このため、スプリングホース７は、分岐装置３側から賞球補給装置２０側に向って（右方向に向って）下り傾斜した通路形状となる。このとき、賞球補給装置２０側となるスプリングホース７の下端部分は、緩やかな湾曲形状ではなく、急激にパチンコ玉の誘導方向を切りかえる折曲形状となって通路形状に歪みが生じる。従って、分岐装置３から供給されるパチンコ玉は、スプリングホース７を通って右側下方に誘導され、その後、スプリングホース７の下端部分で急激に向きをかえて賞球補給装置２０に供給される。このため、スプリングホース７下端部分の歪み具合によっては、その歪み部分で玉詰まりが生じることになり、賞球補給装置２０へのパチンコ玉の供給がスムーズに行えなくなる虞がある。
【００５４】
また、図１７（Ａ）に示す位置から図１７（Ｂ）に示す位置に賞球補給装置２０をスライド移動する場合、分岐装置３と賞球補給装置２０との間の高さ位置に配される配線（例えば、賞球補給装置２０の打止めソレノイド２９に接続される配線等）がスライド移動中のスプリングホース７と接触して、スプリングホース７をスムーズにスライド移動させることができなくなる虞がある。即ち、賞球補給装置２０のスライド調整に弊害が生じる虞がある。そして、このとき、無理やりにスプリングホース７を移動させようとした場合には、配線が抜けたりスプリングホース７自体が賞球補給装置２０のホース接続具２７から抜け落ちるという不具合が生じる虞がある。
【００５５】
次に、図１７（Ｃ），（Ｄ）を参照してホース内嵌パイプ８０を取り付けた状態でのスプリングホース７の通路形状について説明する。なお、ホース内嵌パイプ８０は、前述したようにスプリングホース７を垂直方向に垂下する所望の位置である分岐装置３のほぼ真下位置に固定されるものとして説明を行う。図１７（Ｃ）に示すように、パチンコ機８の賞球タンク１１が分岐装置３のほぼ真下位置、言い換えれば分岐装置３に近い位置に配置される場合は、前記図１７（Ａ）に示す状態と同様に、賞球補給装置２０を分岐装置３のほぼ真下位置（分岐装置３に近い位置）にスライド調整して固定することになる。このため、スプリングホース７は、分岐装置３側からほぼ垂直方向に垂下すると共に、その下流側がホース内嵌パイプ８０の形状に沿って緩やかに湾曲して賞球補給装置２０側に向う通路形状となる。即ち、図１７（Ｃ）に示すスプリングホース７の通路形状は、前記図１７（Ａ）に示すスプリングホース７の通路形状とほぼ同様になり、分岐装置３側から賞球補給装置２０側へのパチンコ玉の供給がスムーズに行われる。
【００５６】
一方、図１７（Ｄ）に示すように、パチンコ機８の賞球タンク１１が分岐装置３の右側下方位置、言い換えれば分岐装置３から遠い位置に配置される場合は、前記図１７（Ｂ）に示す状態と同様に、賞球補給装置２０を分岐装置３の右側下方位置（分岐装置３から遠い位置）にスライド調整して固定することになる。但し、この場合、スプリングホース７は、分岐装置３のほぼ真下位置に固定されたホース内嵌パイプ８０を挿通した状態にあるため、図１７（Ｂ）に示す分岐装置３側から賞球補給装置２０側に向って（右方向に向って）下り傾斜した通路形状とはならず、分岐装置３側からほぼ垂直方向に垂下すると共に、その下流側がホース内嵌パイプ８０の形状に沿って緩やかに湾曲して賞球補給装置２０側に向う通路形状となる。従って、分岐装置３から供給されるパチンコ玉は、図１７（Ａ）に示したスプリングホース７での誘導と同様に、スプリングホース７を通ってほぼ垂直に落下した後、ホース内嵌パイプ８０の部分で緩やかにカーブして賞球補給装置２０に供給されることで、パチンコ玉の供給がスムーズに行われるようになっている。
【００５７】
また、図１７（Ｃ）に示す位置から図１７（Ｄ）に示す位置に賞球補給装置２０をスライド移動する場合、前述した図１７（Ａ）に示す位置から図１７（Ｂ）に示す位置に賞球補給装置２０をスライド移動する場合と違い、分岐装置３とホース内嵌パイプ８０との間に位置するスプリングホース７は、賞球補給装置２０のスライド移動に伴ってスライド移動することなく、伸びることで対応している。このため、スライド移動中のスプリングホース７と配線（例えば、賞球補給装置２０の打止めソレノイド２９に接続される配線等）との接触によって賞球補給装置２０のスライド調整に弊害が生じるような不具合を回避することができる。さらには、このようなスライド移動中のスプリングホース７と配線との接触をなくすことで、無理やりにスプリングホース７を移動させるようなことがないので、配線が抜けたり、あるいはスプリングホース７自体が賞球補給装置２０のホース接続具２７から抜け落ちるという不具合も回避することができる。
【００５８】
なお、上記した実施形態では、スプリングホース７を挿通して内部に遊嵌するパイプ形状のホース内嵌パイプ８０から本発明に係る湾曲通路部を構成しているが、この構成に限定するものではない。例えば、変形例として図１８乃至図２０に示すホース連結パイプ８０’から本発明に係る湾曲通路部を構成するようにしてもよい。以下、図１８及び図１９を参照してホース連結パイプ８０’を備えた誘導通路の構成について説明する。図１８（Ａ）は、湾曲通路部の変形例であるホース連結パイプ８０’を示す分解斜視図であり、図１８（Ｂ）は、固定板２２にスライド調整機構６０のスペーサ６２及びスライド板６３を取り付ける状態を示す分解斜視図であり、図１８（Ｃ）は、固定板２２にスペーサ６２及びスライド板６３を取り付けた状態を示す組付斜視図であり、図１８（Ｄ）は、スライド調整機構６０のスライドベース６１にスペーサ６２及びスライド板６３を取り付けた固定板２２とホース連結パイプ８０’とを装着する状態を示す分解斜視図であり、図１８（Ｅ）は、スライドベースにスペーサ６２及びスライド板６３を取り付けた固定板２２とホース連結パイプ８０’とを装着した状態を示す組立斜視図である。図１９（Ａ）は、ホース連結パイプ８０’を示す上面図であり、図１９（Ｂ）は、ホース連結パイプ８０’を示す正面図であり、図１９（Ｃ）は、ホース連結パイプ８０’を示す側面図であり、図１９（Ｄ）は、ホース連結パイプ８０’を示す斜視図である。図２０（Ａ），（Ｂ）は、それぞれホース連結パイプ８０’を取り付けた状態でのスプリングホース７（７ａ，７ｂ）の通路形状を説明するための正面図である。
【００５９】
ホース連結パイプ８０’（連結パイプ）は、図１８（Ａ）及び図１９（Ａ）〜（Ｄ）に示すように、通路形状が湾曲して形成されたパイプ本体８１’と、該パイプ本体８１’の裏面側に一体的に固定された平板状のベース体８２と、該ベース体８２にビス８６ａ止めして取り付けられるスペーサ８３及びスライド板８４と、ベース体８２に取り付けられる通路固定手段としての蝶ボルト８５と、から構成される。なお、ホース連結パイプ８０’において、パイプ本体８１’を除くその他の構成部材は、前述したホース内嵌パイプ８０と同一であるため、当該構成部材については、ホース内嵌パイプ８０の構成部材と同一の符号を付記すると共にその詳細な説明を省略する。
【００６０】
パイプ本体８１’は、ホース内嵌パイプ８０のパイプ本体８１と同様に、湾曲した通路の長さ寸法が一定に形成されている。パイプ本体８１’の上流端には、パチンコ玉１個分程度の流入開口８１’ａが形成され、該流入開口８１’ａの外周には、スプリングホース７を取り付けるための上取付フランジ部８１’ｂが形成されている。一方、パイプ本体８１’の下流端にも同様に、パチンコ玉１個分程度の流出開口８１’ｃが形成され、該流出開口８１’ｃの外周には、スプリングホース７を取り付けるための下取付フランジ部８１’ｄが形成されている。
【００６１】
また、ホース連結パイプ８０’に取り付けられるスプリングホース７は、図２０（Ａ），（Ｂ）に示すように、第一及び第二のスプリングホースとなる２本のスプリングホース７ａ，７ｂから構成されている。スプリングホース７ａ（第一の誘導通路部材）は、その一端が分岐装置３に連結される一方、他端がホース連結パイプ８０’（パイプ本体８１’）の上取付フランジ部８１’ｂ（流入開口８１’ａ）に連結されて、分岐装置３とホース連結パイプ８０’とを連通するようになっている。スプリングホース７ｂ（第二の誘導通路部材）は、その一端がホース連結パイプ８０’ の下取付フランジ部８１’ｄ（流出開口８１’ｃ）に連結される一方、他端が賞球補給装置２０に連結されて、ホース連結パイプ８０’と賞球補給装置２０とを連通するようになっている。
【００６２】
しかして、上記したホース連結パイプ８０’は、図１８（Ｄ），（Ｅ）に示すように、横枠５９に固定されたスライドベース６１のスライド溝７２にスペーサ８３及びスライド板８４をスライド挿入することで、スライドベース６１に対してスライド可能に取り付けられる。そして、パイプ本体８１’の上取付フランジ部８１’ｂに、分岐装置３が連結されたスプリングホース７ａを連結すると共に、パイプ本体８１’の下取付フランジ部８１’ｄに、賞球補給装置２０が連結されたスプリングホース７ｂを連結して取り付け、この状態で、分岐装置３側から賞球補給装置２０側に向かってスプリングホース７ａ、ホース連結パイプ８０’、及びスプリングホース７ｂがスムーズに湾曲する一連の玉通路を形成する位置にホース連結パイプ８０’をスライド移動させて、ベース体８２及びスライド板８４に螺着された蝶ボルト８５を締め付ける。これにより、ベース体８２とスライド板８４との間でスライドベース６１の溝形成壁７４が挟持されて、ホース連結パイプ８０’が所望の位置に固定される。なお、ホース連結パイプ８０’は、スプリングホース７ａが分岐装置３側からほぼ垂直方向に垂下するように、分岐装置３のほぼ真下位置に配置されるのが望ましい（図２０（Ａ），（Ｂ）参照）。
【００６３】
ここで、ホース連結パイプ８０’によるスプリングホース７ａ，７ｂの通路形状の調整について図２０を参照して説明する。なお、ホース連結パイプ８０’は、前述したようにスプリングホース７ａを垂直方向に垂下する所望の位置である分岐装置３のほぼ真下位置に固定されるものとして説明を行う。図２０（Ａ）に示すように、パチンコ機８の賞球タンク１１が分岐装置３のほぼ真下位置、言い換えれば分岐装置３に近い位置に配置される場合は、賞球補給装置２０を分岐装置３のほぼ真下位置（分岐装置３に近い位置）にスライド調整して固定することになる。このため、スプリングホース７ａは、分岐装置３側からほぼ垂直方向に垂下してホース連結パイプ８０’の上流側に向う通路形状となり、スプリングホース７ｂは、ホース連結パイプ８０’の下流側から真っ直ぐ賞球補給装置２０側に向う通路形状となる。即ち、図２０（Ａ）に示すスプリングホース７ａ，７ｂの通路形状は、急激にパチンコ玉の誘導方向を切りかえる折曲形状とは違い、ホース連結パイプ８０’の緩やかな湾曲形状に沿った玉通路を形成することで、分岐装置３側から賞球補給装置２０側へのパチンコ玉の供給がスムーズに行われる。但し、この場合、賞球補給装置２０が分岐装置３のほぼ真下位置に配置されることで、ホース連結パイプ８０’と賞球補給装置２０との間が短くなり、スプリングホース７ｂは、各構成部材（ホース連結パイプ８０’及び賞球補給装置２０）間で押し縮められた状態となる。
【００６４】
一方、図２０（Ｂ）に示すように、パチンコ機８の賞球タンク１１が分岐装置３の右側下方位置、言い換えれば分岐装置３から遠い位置に配置される場合は、賞球補給装置２０を分岐装置３の右側下方位置（分岐装置３から遠い位置）にスライド調整して固定することになる。この場合、スプリングホース７ａは、前記図２０（Ａ）に示した状態と同様に、分岐装置３側からほぼ垂直方向に垂下してホース連結パイプ８０’の上流側に向う通路形状となる。また、スプリングホース７ｂは、賞球補給装置２０の右方向へのスライド移動に伴い右方向に引き伸ばされた状態となるが、その通路形状は、ホース連結パイプ８０’の下流側から真っ直ぐ賞球補給装置２０側に向う形状となる。即ち、図２０（Ｂ）に示すスプリングホース７ａ，７ｂの通路形状においても、急激にパチンコ玉の誘導方向を切りかえる折曲形状とは違い、ホース連結パイプ８０’の緩やかな湾曲形状に沿った玉通路を形成することで、分岐装置３側から賞球補給装置２０側へのパチンコ玉の供給がスムーズに行われる。
【００６５】
また、図２０（Ａ）に示す位置から図２０（Ｂ）に示す位置に賞球補給装置２０をスライド移動する場合、分岐装置３とホース連結パイプ８０’との間に位置するスプリングホース７ａは、賞球補給装置２０のスライド移動に伴ってスライド移動することがない。このため、スライド移動中のスプリングホース７ａと配線（例えば、賞球補給装置２０の打止めソレノイド２９に接続される配線等）との接触によって賞球補給装置２０のスライド調整に弊害が生じるような不具合を回避することができる。さらには、このようなスライド移動中のスプリングホース７ａと配線との接触をなくすことで、無理やりにスプリングホース７ａ，７ｂを移動させるようなことがないので、配線が抜けたり、あるいはスプリングホース７ｂ自体が賞球補給装置２０のホース接続具２７から抜け落ちるという不具合も回避することができる。
【００６６】
なお、賞球補給装置２０のスライド移動に対応するだけであれば、第二のスプリングホース７ｂだけを用いて、分岐装置３とホース連結パイプ８０’との間は伸縮不能な玉経路としてもよい。然し、本第二変形例のように第一のスプリングホース７ａを設けることで、分岐装置３の真下に島内設備が存在し、ホース連結パイプ８０’の設置位置を分岐装置３の真下から若干ずらさなければならない場合に容易に対応することができる。
【００６７】
以上のように、本実施形態の構成によれば、分岐装置３と賞球補給装置２０とを繋ぐ誘導通路部材（スプリングホース７）は、長さ寸法が一定に分岐装置３側から賞球補給装置２０側に向かって通路形状が湾曲して形成され、且つ分岐装置３に対する配置関係を変えることがないように賞球補給装置２０の側方の横枠５９の一定の位置に固定される湾曲通路部（ホース内嵌パイプ８０、ホース連結パイプ８０’）を備える。また、誘導通路部材における湾曲通路部以外の部分、即ち分岐装置３と湾曲通路部との間の部分及び湾曲通路部と賞球補給装置２０との間の部分は、それぞれ伸縮自在に設けられている。このため、パチンコ機８の賞球タンク１１が分岐装置３に対していずれの位置に配置される場合、言い換えれば、賞球補給装置２０がいずれの位置にスライド調整される場合でも、誘導通路部材における分岐装置３と湾曲通路部との間の部分及び湾曲通路部と賞球補給装置２０との間の部分は、それぞれ直線状の通路形状となり、屈曲する部分は、予め緩やかな曲率を有する湾曲通路部の湾曲部だけである。従って、誘導通路部材の通路途中で急激にパチンコ玉の誘導方向を切りかえる屈曲形状となって通路形状に歪みが生じるようなことがない。これにより、賞球補給装置２０のスライド位置に関わらず賞球補給装置２０へのパチンコ玉の供給がスムーズに行える。
【００６８】
また、賞球補給装置２０をスライド移動する場合、分岐装置３と湾曲通路部との間の誘導通路部材は、賞球補給装置２０のスライド移動に伴ってスライド移動することがない。このため、スライド移動中の誘導通路部材と分岐装置３と賞球補給装置２０との間の高さ位置に配される配線（例えば、賞球補給装置２０の打止めソレノイド２９に接続される配線等）との接触によって賞球補給装置２０のスライド調整に弊害が生じるような不具合を回避することができる。さらには、このようなスライド移動中の誘導通路部材と配線との接触をなくすことで、無理やりに誘導通路部材を移動させるようなことがないので、配線が抜けたり、あるいは誘導通路部材自体が賞球補給装置２０から抜け落ちるという不具合も回避することができる。
【００６９】
また、針金がスプリング状に捲回されてその内部空間が玉の誘導通路を形成するスプリングホース７から誘導通路部材を構成することで、誘導通路の強度を高めることができる。
【００７０】
また、スプリングホース７を挿通して内部に遊嵌するパイプ形状のホース内嵌パイプ８０から湾曲通路部を構成することで、１本のスプリングホース７で誘導通路を形成することができる。
【００７１】
また、スプリングホース７を第一及び第二の２本のスプリングホース７ａ，７ｂから構成すると共に、一端側に第一のスプリングホース７ａを連結される一方で他端側に第二のスプリングホース７ｂを連結させるパイプ形状のホース連結パイプ８０’から湾曲通路部を構成する。これにより、第一のスプリングホース７ａ、第二のスプリングホース７ｂ、及びホース連結パイプ８０’の各玉通路の組み合わせによって１つの誘導通路を形成することができる。
【００７２】
また、横枠５９に固定されたスライドベース６１に賞球補給装置２０を取り付ける場合、スライドベース６１のスライド溝７２に対して、賞球補給装置２０の固定板２２に固定されたスライド板６３をスライド係合する。そして、パチンコ機８の賞球タンク１１と対応する位置に賞球補給装置２０をスライド移動させ、この状態で固定板２２から突出したスライド板６３の突出部分に取り付けられた固定手段を構成する蝶ボルト６４を締め付ける。これにより、スライド板６３と固定手段を構成するワッシャー６５との間で、スライド溝７２を形成するスライドベース６１の溝形成壁７４を挟持して、賞球補給装置２０がパチンコ機８の賞球タンク１１と対応する所望の位置に固定される。このため、賞球補給装置２０及びスライドベース６１が横枠５９の裏面側となり遊技島１の外部から直接視認できない個所に配置される場合でも、賞球補給装置２０の固定板２２に固定されたスライド板６３をスライドベース６１のスライド溝７２に挿入してスライド係合させるという簡単な作業で賞球補給装置２０をスライドベース６１に取り付けることができ、然も、賞球補給装置２０の固定個所（固定手段の取付個所）はスライド板６３に１個所設けるだけでよいので、複数個所で賞球補給装置２０を固定あるいは固定解除する必要がなく、結果として、スライドベース６１に対する賞球補給装置２０の着脱作業が容易に行える。
【００７３】
更に、湾曲通路部にスライド板８４と蝶ボルト８５とを設けることで、湾曲通路部を横枠５９に対してスライド調整可能に固定することができるので、湾曲通路部の取付位置を微調整することができる。具体的な取付方法としては、スライドベース６１のスライド溝７２に対して、湾曲通路部のスライド板８４をスライド係合する。そして、湾曲通路部をスライド移動させ、この状態で蝶ボルト８５を締め付ける。これにより、スライド板８４と蝶ボルト８５との間で、スライド溝７２を形成するスライドベース６１の溝形成壁７４を挟持して、湾曲通路部が所望の位置に固定される。
【００７４】
なお、上記した実施形態では、賞球補給装置をスライドベースに固定するための固定手段を蝶ボルト６４と該蝶ボルト６４が挿通されるワッシャー６５とから構成しているが、これに限定するものではない。例えば、賞球補給装置の固定板に取り付けられるスライド板にスタッドボルトを立設し、該スタッドボルトと螺合する蝶ナットを締め付けることで、蝶ナットとスライド板との間でスライドベースのスライド溝を形成する溝形成壁を挟持して賞球補給装置を固定するようにしてもよい。
【００７５】
なお、上記した実施形態では、固定板がレールから外れることを防止するために、固定板２２の幅寸法よりも長いスライド板２３を用いたが、これに限定するものではない、例えば固定板と一体的に構成されている幅寸法の短いスライド板複数設け、該複数のスライド板のうち１つを固定板の一端から突出させるように取り付け、該スライド板に固定手段を備えるようにしてもよい。その際のスライド板の配置としては、固定板の両端に対応する位置に配置することが望ましい。
【００７６】
また、上記した実施形態では、伸縮自在に設けられた誘導通路部材として、スプリングホースを採用したが、蛇腹形状を利用したフレキシブルホースを用いてもよい。また、実施形態中では、賞球補給装置の横スライド移動に対応する構成を説明したが、賞球補給装置の縦スライド移動に対応する場合は、湾曲通路部を賞球補給装置と同様に縦スライド移動できるようにすればよい。
【符号の説明】
【００７７】
１  遊技島
２  補給樋
３  分岐装置
７  スプリングホース（誘導通路部材）
７ａ  スプリングホース（第一の誘導通路部材）
７ｂ  スプリングホース（第二の誘導通路部材）
８  パチンコ機
１１  賞球タンク
１１ａ  側壁
１５  前面枠
２０  賞球補給装置
２１  支持台
２２  固定板
２２ｃ  上壁
２２ｄ  側壁
２３  スライド板
２６  整列通路
３０  回動補給部材
３２  補給筒
３３  作動腕
３９  係合カム
４０  球止め部材
４１  ストッパーピン
５９  横枠
６０  スライド調整機構
６１  スライドベース
６２  スペーサ
６３  スライド板
６４  蝶ボルト
６５  ワッシャー
６８  取付部
６８ａ  螺着穴
７０ａ  上壁片
７０ｂ  側壁片
７２  スライド溝
７３  規制突起
７４  溝形成壁
８０  ホース内嵌パイプ（湾曲通路部、内嵌パイプ）
８０’  ホース連結パイプ（湾曲通路部、連結パイプ）
８１，８１’  パイプ本体
８１’ａ  流入開口
８１’ｃ  流出開口
８２  ベース体
８３  スペーサ
８４  スライド板（通路スライド板）
８５  蝶ボルト（通路固定手段）
【図１】
2010259683.tif 000003
【図２】
2010259683.tif 000004
【図３】
2010259683.tif 000005
【図４】
2010259683.tif 000006
【図５】
2010259683.tif 000007
【図６】
2010259683.tif 000008
【図７】
2010259683.tif 000009
【図８】
2010259683.tif 000010
【図９】
2010259683.tif 000011
【図１０】
2010259683.tif 000012
【図１１】
2010259683.tif 000013
【図１２】
2010259683.tif 000014
【図１３】
2010259683.tif 000015
【図１４】
2010259683.tif 000016
【図１５】
2010259683.tif 000017
【図１６】
2010259683.tif 000018
【図１７】
2010259683.tif 000019
【図１８】
2010259683.tif 000020
【図１９】
2010259683.tif 000021
【図２０】
2010259683.tif 000022